(57)【要約】【課題】     排気漏れが少なく、排気効率が高いファンユニットを提供すること。【解決手段】  外壁形成用パネル（１）の内側面に突出し且つ前記外壁形成用パネル（１）と一体成形されたファン収容用の筒状壁（２ａ）と前記筒状壁（２ａ）内側の前記外壁形成用パネル（１）部分に形成された排気口（１ｄ）とを有するファンユニット装着部（２）であって、回転可能なロータ（４ｂ）を有するモータ（４）と前記モータ（４）を支持する支柱（３）と前記ロータ（４ｂ）と一体的に回転するファン（５）とを有するファンユニット（Ｕ５ａ）の前記ファン（５）が前記筒状壁（２ａ）内に回転可能に収容された状態で前記ファンユニット（Ｕ５ａ）が装着される前記ファンユニット装着部（２）を有するケーシング用カバー（Ｕ５）および前記ケーシング用カバー（Ｕ５）に装着されるファンユニット（Ｕ５ａ）。【選択図】  図３
2007005543.tif 000002
【特許請求の範囲】
【請求項１】
下記の構成要件（Ａ01）、（Ａ02）を備えたことを特徴とするケーシング用カバー、
（Ａ01）外壁形成用パネルの内側面に突出し且つ前記外壁形成用パネルと一体成形されたファン収容用の筒状壁と、前記筒状壁内側の前記外壁形成用パネル部分に形成された排気口とを有するファンユニット装着部、
（Ａ02）回転可能なロータを有するモータと、前記モータを支持する支柱と、前記ロータと一体的に回転するファンと、を有するファンユニットの前記ファンが前記筒状壁内に回転可能に収容された状態で前記ファンユニットが装着される前記ファンユニット装着部。
【請求項２】
下記の構成要件（Ａ03）を備えたことを特徴とする請求項１記載のケーシング用カバー、
（Ａ03）前記筒状壁の周方向の所定位置に設けられ且つ前記ファンユニットが取り付けられるユニット取付部。
【請求項３】
下記の構成要件（Ａ04）を備えたことを特徴とする請求項１または２記載のケーシング用カバー、
（Ａ04）前記筒状壁の周方向の所定位置に設けられ且つ前記ファンユニットが位置決めされるユニット位置決め部。
【請求項４】
下記の構成要件（Ａ05）を備えたことを特徴とする請求項１ないし３記載のいずれかのケーシング用カバー、
（Ａ05）周方向に離れて複数設けられた前記ユニット取り付け部または前記ユニット位置決め部。
【請求項５】
下記の構成要件（Ａ06）、（Ａ07）を備えたことを特徴とする請求項１ないし４記載のいずれかのケーシング用カバー、
（Ａ06）ネジ孔が形成された前記ユニット取り付け部、
（Ａ07）前記ネジ孔に螺合する固定用ネジにより構成された取り付け用部材。
【請求項６】
下記の構成要件（Ｂ01）、（Ｂ02）を備えたことを特徴とするファンユニット、
（Ｂ01）支柱と、
前記支柱により支持されたステータおよび回転可能なロータを有するモータと、
前記ロータと一体的に回転するファンと、
を有するファンユニット、
（Ｂ02）外壁形成用パネルと一体成形され且つ内側面に突出するファンユニット装着部に設けられた筒状壁内側に回転可能に収容される前記ファンを有し、前記ファンユニット装着部に装着される前記ファンユニット。
【請求項７】
下記の構成要件（Ｂ03）を備えたことを特徴とする請求項６記載のファンユニット、
（Ｂ03）前記支柱に設けられ且つ前記筒状壁の周方向の所定位置に取り付け用部材により取り付けられる被取付部。
【発明の詳細な説明】
【技術分野】
【０００１】
本発明は、プリンタ、複写機、ＦＡＸ等の画像形成装置を含む種々の電子機器の内部のエアを外部に排気するファンユニットおよび前記ファンユニットが装着される前記電子機器のケーシング用カバーに関する。
【背景技術】
【０００２】
一般の電子機器において、電源またはモータ等の熱源から発生した熱を機外に排出する必要がある。また、電子機器としての電子写真方式の画像形成装置では、電源、モータでの熱に加え定着装置の熱や、帯電工程で発生するオゾン等の排出も行う必要がある。このため、前記画像形成装置を含む電子機器は、一般的に熱やオゾン等を排出するファンユニットを備えている。
【０００３】
図7は従来技術のファンユニットの説明図である。
図7において、従来のファンユニットを備えた画像形成装置では、通気孔（図示せず）を備えた外壁０１のファンユニット取付面側には、ファンユニット０２のケーシング０３を取り囲むようにフード０４が設けられている。前記ケーシング０３の中央部には、ファン支持部０６が配置されている。前記ファン支持部０６には、図示しないステータとロータ０７とを有するモータが支持されており、前記モータのロータ０７には、複数羽根０８ａを有するファン０８が設けられている。前記モータには、給電線０９が接続されている。前記ファンユニット０２は、前記ケーシング０３の四隅をネジ止めすることにより、画像形成装置に取り付けられている。
【０００４】
図7に示す画像形成装置は、前記モータを駆動することにより、ファン０７が回転し、前記画像形成装置内の空気やオゾン等を装置外に排出している。
このような画像形成装置では、前記ケーシング０３とフード０４との隙間からの空気漏れを低減し、排気効率の向上および低騒音化をするために、前記ケーシング０３とフード０４とをできるだけ近接させていた。しかし、寸法精度のばらつきや外壁０１の伸縮等により、ファンユニット０２のケーシング０３とフード０４との隙間をなくすことは困難であり、実際には、その隙間にスポンジ等の緩衝部材を介在させて、前記隙間からの空気漏れを低減していた。
この他にも、前記ファンユニットの排気効率の向上および低騒音化を図る技術として、次の従来技術（Ｊ01），（Ｊ02）が公知である。
【０００５】
（Ｊ01）特許文献１（特開平７−１２９２７６号公報）記載の技術
特許文献１には、ファン（１）と、前記ファン（１）の外周を覆う円筒状のダクト（２）とを一体構造とし、前記ファン（１）とダクト（２）とを一体的に回転させて、前記装置内の空気を排出する技術が記載されている。
（Ｊ02）特許文献２（特開２００２−１１８３８８号公報）記載の技術
特許文献２には、上下方向に離れて配置したベース部材（５０）とファンユニットのカバー部材（５２）とにより、ファン（４２）の送風方向（上下方向）と直角をなす方向（水平方向）に延びる排気用空気流通路（１００）が形成され、前記ファン（４２）から前記排気用空気流通路（１００）に空気を送り込む技術が記載されている。
【０００６】
【特許文献１】特開平７−１２９２７６号公報（段落番号「００２３」、第２図）
【特許文献２】特開２００２−１１８３８８号公報（段落番号「００２３」〜「００２６」、第２図、第３図）
【発明の開示】
【発明が解決しようとする課題】
【０００７】
図7において、前記ファンユニット０２のケーシング０３とフード０４との隙間には、スポンジ等の緩衝部材を介在させて、前記隙間からの空気漏れを低減していたが、前記隙間からの空気漏れを防止するのに十分でなく、排気効率が低下するおそれがある。また、前記ファンユニット０２には、放熱用のモータやファン０８を支持するためにケーシング０３をわざわざ設ける必要があるため、前記ファンユニット０２を小型化することが困難である。さらに、緩衝部材が必要なので、部品点数が多くなり、コスト高になる問題もある。
（従来技術（Ｊ01）の問題点）
従来技術（Ｊ01）記載の技術（Ｊ01）では、ファン（１）とダクト（２）とが一体的に回転するので、前記ファン（１）とダクト（２）を含む回転部材の重量が重くなる。このため、回転出力の大きなモータが必要となり、騒音が発生し易くなったり、消費電力が大きくなる。したがって、エネルギ効率（排気効率）が低下する。また、前記ダクト（２）端部とファンユニットを取り付けた装置との間は、寸法精度のばらつきや、温度変化による装置カバーの伸縮等の影響により隙間が生じるおそれがあり、前記隙間から空気漏れが発生するおそれがある。
【０００８】
（従来技術（Ｊ02）の問題点）
従来技術（Ｊ02）記載の技術では、ケーシング（５２）とベース部材（５０）とにより、排気用空気流通路（１００）を形成するため、前記ケーシング（５２）を排気方向に沿って大きくする必要がある。このため、前記ケーシング（５２）を配置するためのスペースを電子機器内部に設けなければならないので、電子機器の小型化が難しくなり、構成部品の増加による電子機器のコストアップにもなる。また、ケーシング（５２）とベース部材（５０）とにより形成される排気用の空気流路（１００）の排気方向は、ファン（４２）の送風方向（上下方向）と直角をなす方向（水平方向）である。このため、ファン（４２）から下方に送風された空気は、前記ベース部材（５０）の上面に衝突してから９０度方向転換して水平方向に排気される。このため、排気抵抗が大きくエネルギ効率（排気効率）が低い。また、放熱用のモータ（４０）やファン（４２）を支持するためにケーシング（５２）をわざわざ設ける必要があり、前記ファンユニットを小型化することが困難である。
【０００９】
本発明は、前述の事情に鑑み下記（Ｏ01），（Ｏ02）の記載内容を課題とする。
（Ｏ01）排気漏れが少なく、排気効率が高いファンユニットを提供すること。
（Ｏ02）小型で軽量のファンユニットを提供すること。
【課題を解決するための手段】
【００１０】
次に、前記課題を解決するための本発明を説明するが、本発明の要素には、後述する実施例の要素との対応を容易にするため、実施例の要素の符号をカッコで囲んだものを付記する。本発明を後述の実施例の符号と対応させて説明する理由は、本発明の理解を容易にするためであり、本発明の範囲を実施例に限定するためではない。
【００１１】
（第１発明）
前記技術的課題を解決するために、第１発明のケーシング用カバー（Ｕ５）は、下記の構成要件（Ａ01）、（Ａ02）を備えたことを特徴とする。
（Ａ01）外壁形成用パネル（１）の内側面に突出し且つ前記外壁形成用パネル（１）と一体成形されたファン収容用の筒状壁（２ａ）と、前記筒状壁（２ａ）内側の前記外壁形成用パネル（１）部分に形成された排気口（１ｄ）とを有するファンユニット装着部（２）、
（Ａ02）回転可能なロータ（４ｂ）を有するモータ（４）と、前記モータ（４）を支持する支柱（３）と、前記ロータ（４ｂ）と一体的に回転するファン（５）と、を有するファンユニット（Ｕ５ａ）の前記ファン（５）が前記筒状壁（２ａ）内に回転可能に収容された状態で前記ファンユニット（Ｕ５ａ）が装着される前記ファンユニット装着部（２）。
【００１２】
（第１発明の作用）
前記構成要件（Ａ01）、（Ａ02）を備えた第１発明のケーシング用カバー（Ｕ５）では、外壁形成用パネル（１）と一体成形されたファンユニット装着部（２）に設けたファン収容用の筒状壁（２ａ）は、外壁形成用パネル（１）の内側面に突出する。前記筒状壁（２ａ）内側の前記外壁形成用パネル（１）部分には、排気口（１ｄ）が形成されている。前記ファンユニット（Ｕ５ａ）の支柱（３）に支持されたモータ（４）のロータ（４ｂ）とファン（５）とは一体的に回転する。
前記ファンユニット（Ｕ５ａ）は、ファンユニット（Ｕ５ａ）の前記ファン（５）が前記筒状壁（２ａ）内に回転可能に収容された状態で前記ファンユニット装着部（２）に装着される。前記ファン収容用の筒状壁（２ａ）は、外壁形成用のパネルと一体形成されるので製作が容易であり、部品数の増加を抑えることができる。また、前記ファンユニット（Ｕ５ａ）のファン（５）は、前記筒状壁（２ａ）内に収容されるので、前記ファンユニット（Ｕ５ａ）には、前記ファン（５）の周囲にケーシングを設ける必要がないので、ファンユニット（Ｕ５ａ）の構成を簡素化し、小型化および軽量化することができる。
また、ファンユニット（Ｕ５ａ）の回転部材としては、特許文献１記載の従来技術のようにダクトを含まないので、軽量な回転部材（ロータ（４ｂ）およびファン（５））を使用できるので、回転出力の小さなモータ（４）を使用できる。このため、騒音を少なくし且つ排気効率を高めることができる。
【００１３】
（第１発明の形態１）
第１発明の形態１のケーシング用カバー（Ｕ５）は、前記第１発明において、下記の構成要件（Ａ03）を備えたことを特徴とする。
（Ａ03）前記筒状壁（２ａ）の周方向の所定位置に設けられ且つ前記ファンユニット（Ｕ５ａ）が取り付けられるユニット取付部（２ｂ）。
（第１発明の形態１の作用）
前記構成要件（Ａ03）を備えた第１発明の形態１のケーシング用カバー（Ｕ５）では、前記ファンユニット（Ｕ５ａ）は、前記筒状壁（２ａ）の周方向の所定位置に設けられたユニット取付部（２ｂ）に取り付けられて使用される。
【００１４】
（第１発明の形態２）
第１発明の形態２のケーシング用カバー（Ｕ５）は、前記第１発明または第１発明の形態１において、下記の構成要件（Ａ04）を備えたことを特徴とする。
（Ａ04）前記筒状壁（２ａ）の周方向の所定位置に設けられ且つ前記ファンユニット（Ｕ５ａ）が位置決めされるユニット位置決め部（２ｃ）。
（第１発明の形態２の作用）
前記構成要件（Ａ04）を備えた第１発明の形態２のケーシング用カバー（Ｕ５）では、前記ファンユニット（Ｕ５ａ）を前記ユニット取付部（２ｂ）に取り付ける際、前記筒状壁（２ａ）の周方向の所定位置に設けられた前記ユニット位置決め部（２ｃ）により、前記ファンユニット（Ｕ５ａ）の位置決めを容易に行うことができる。
【００１５】
（第１発明の形態３）
第１発明の形態３のケーシング用カバー（Ｕ５）は、前記第１発明または第１発明の実施の形態１もしくは第１発明の形態２において、下記の構成要件（Ａ05）を備えたことを特徴とする。
（Ａ05）周方向に離れて複数設けられた前記ユニット取付部（２ｂ）または前記ユニット位置決め部（２ｃ）。
（第１発明の形態３の作用）
前記構成要件（Ａ05）を備えた第１発明の形態３のケーシング用カバー（Ｕ５）では、ファンユニット装着部（２）へのファンユニット（Ｕ５ａ）の位置決め、または取り付けが複数箇所で行われるのでファンユニット装着部（２）へのファンユニット（Ｕ５ａ）の取付位置が安定し、取付位置がずれ難い。
【００１６】
（第１発明の形態４）
第１発明の形態４のケーシング用カバー（Ｕ５）は、前記第１発明または第１発明の実施の形態１ないし第１発明の形態３のいずれかにおいて、下記の構成要件（Ａ06）、（Ａ07）を備えたことを特徴とする。
（Ａ06）ネジ孔（２ｂ１）が形成された前記ユニット取付部（２ｂ）、
（Ａ07）前記ネジ孔（２ｂ１）に螺合する固定用ネジにより構成された取り付け用部材（６）。
（第１発明の形態４の作用）
前記構成要件（Ａ06）、（Ａ07）を備えた第１発明の形態４のケーシング用カバー（Ｕ５）では、前記ユニット取付部（２ｂ）は、ネジ孔（２ｂ１）が形成されている。前記ネジ孔（２ｂ１）に螺合する取り付け用部材（６）は、固定用ネジにより構成されている。
【００１７】
（第２発明）
第２発明のファンユニットは、下記の構成要件（Ｂ01）、（Ｂ02）を備えたことを特徴とする。
（Ｂ01）支柱（３）と、
前記支柱（３）により支持されたステータ（４ａ）および回転可能なロータ（４ｂ）を有するモータ（４）と、
前記ロータ（４ｂ）と一体的に回転するファン（５）と、
を有するファンユニット（Ｕ５ａ）、
（Ｂ02）外壁形成用パネル（１）と一体成形され且つ内側面に突出するファンユニット装着部（２）に設けられた筒状壁（２ａ）内側に回転可能に収容される前記ファン（５）を有し、前記ファンユニット装着部（２）に装着される前記ファンユニット（Ｕ５ａ）。
【００１８】
（第２発明の作用）
前記構成要件（Ｂ01）、（Ｂ02）を備えた第２発明のファンユニット（Ｕ５ａ）は、支柱（３）と、前記支柱（３）により支持されたステータ（４ａ）および回転可能なロータ（４ｂ）を有するモータ（４）と、前記ロータ（４ｂ）と一体的に回転するファン（５）と、を有しており、外壁形成用パネル（１）と一体成形され且つ内側面に突出するファンユニット装着部（２）に装着される。その際、ファンユニット（Ｕ５ａ）のファン（５）は、ファンユニット装着部（２）の筒状壁（２ａ）内側に回転可能に収容される。したがって、ファンユニット（Ｕ５ａ）には、ファン（５）の周囲に筒状壁（２ａ）を設ける必要がないので、ファンユニット（Ｕ５ａ）の構成を簡素化、小型化および軽量化することができる。
【００１９】
（第２発明の形態１）
第２発明の形態１のファンユニットは、前記第２発明において、下記の構成要件（Ｂ03）を備えたことを特徴とする。
（Ｂ03）前記支柱（３）に設けられ且つ前記筒状壁（２ａ）の周方向の所定位置に取り付け用部材（６）により取り付けられる被取付部（３ｂ）。
（第２発明の形態１の作用）
前記構成要件（Ｂ03）を備えた第２発明の形態１のファンユニット（Ｕ５ａ）では、被取付部（３ｂ）は、前記支柱（３）に設けられ且つ前記筒状壁（２ａ）の周方向の所定位置に取り付け用部材（６）により取り付けられる。
【発明の効果】
【００２０】
前述の本発明は、下記の効果（Ｅ01），（Ｅ02）を奏する。
（Ｅ01）排気漏れが少なく、排気効率が高いファンユニットを提供することができる。
（Ｅ02）小型で軽量のファンユニットを提供することができる。
【発明を実施するための最良の形態】
【００２１】
次に図面を参照しながら、本発明の実施の形態（実施例）を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００２２】
（実施例１）
図１は本発明の実施例１の画像形成装置の斜視説明図である。
図２は実施例１の画像形成装置の全体説明図である。
図１において、本発明の実施例１の画像形成装置としてのプリンタＵは、画像が記録される用紙が収容される給紙カセットＴＲ１が下部に収容されており、上面には排出トレイＴＲｈが設けられている。
図２において、プリンタＵはマイクロコンピュータにより構成されたコントローラＣと、コントローラＣにより作動を制御されるＩＰＳ（イメージプロセッシングシステム）、レーザ駆動回路ＤＬ、および電源装置Ｅ等を有している。電源装置Ｅは、後述の帯電ローラＣＲｙ〜ＣＲｋ、現像器Ｇｙ〜Ｇｋおよび転写ローラＲｔ等にバイアス電圧を印加する。
【００２３】
前記ＩＰＳ（イメージプロセッシングシステム）は、外部のホストコンピュータ等から入力された印字データを、Ｋ（黒），Ｙ（イエロー），Ｍ（マゼンタ），Ｃ（シアン）の４色の画像に対応した潜像形成用の画像データに変換して、所定のタイミングでレーザ駆動回路ＤＬに出力する。レーザ駆動回路ＤＬは、入力された各色の画像データに応じてレーザ駆動信号を潜像形成装置ＲＯＳ（光走査装置）に出力する。前記ＲＯＳは、レーザ駆動信号に応じて、各色の画像書き込み用のレーザビーム（画像書込光）Ｌｙ、Ｌｍ，Ｌｃ，Ｌｋを出射する。
【００２４】
前記ＲＯＳの上方には、トナー（現像剤）を補給するための現像剤補給装置Ｕａが配置されている。前記ＲＯＳの前方にはＫ（黒），Ｙ（イエロー），Ｍ（マゼンタ），Ｃ（シアン）の各色のトナー像を形成するトナー像形成装置ＵＫ，ＵＹ，ＵＭ，ＵＣが配置されている。Ｋ（黒）のトナー像形成装置ＵＫのドラム状の感光体（１次トナー像担持体）Ｐｋの周囲には、帯電器としての帯電ロールＣＲｋ、現像器Ｇｋ、像担持体用現像剤吸着保持部材ＣＬｋ等が配置されている。
そして、他のトナー像形成装置ＵＹ，ＵＭ，ＵＣの前記感光体（１次トナー像担持体）Ｐｙ，Ｐｍ，Ｐｃの周囲にもそれぞれ前記感光体Ｐｋの周囲と同様の帯電器ＣＲｙ，ＣＲｍ，ＣＲｃ、現像器Ｇｙ，Ｇｍ，Ｇｃ、感光体用トナー吸着保持部材ＣＬｙ，ＣＬｍ，ＣＬｃ等が配置されている。
【００２５】
前記トナー像形成装置ＵＹ，ＵＭ，ＵＣ，ＵＫの前方には中間転写装置Ｕｔが配置されている。中間転写装置Ｕｔは、３つの中間転写ドラム（中間トナー像担持体）ＤＲ１，ＤＲ２，ＤＲ３を有する。第１中間転写ドラム（１次中間トナー像担持体）ＤＲ１は、Ｙ色の感光体Ｐｙと１次転写領域Ｑｙで接触し且つＭ色の感光体Ｐｍに１次転写領域Ｑｍで接触する。第２中間転写ドラム（１次中間トナー像担持体）ＤＲ２は、Ｃ色の感光体Ｐｃと１次転写領域Ｑｃで接触し且つＫ色の感光体Ｐｋと１次転写領域Ｑｋで接触する。第３中間転写ドラム（２次中間トナー像担持体）ＤＲ３は、各中間転写ドラムＤＲ１、ＤＲ２と中間転写領域Ｑ３１、Ｑ３２で接触する。
前記第３中間転写ドラムＤＲ３の前方には、２次転写領域Ｑ２で接触する２次転写ロール（２次転写器）Ｒｔが対向して配置されている。前記２次転写ロールＲｔには、２次転写ロールＲｔ表面のトナーをクリーニングする２次転写ロールクリーナＣＬｔが接触している。
前記中間転写ドラムＤＲ１およびＤＲ２の回転方向で中間転写領域Ｑ３１およびＱ３２の下流側には、中間転写ドラム用トナー吸着保持部材ＣＬ１およびＣＬ２が配置されている。また、前記第３中間転写ドラムＤＲ３の回転方向で２次転写領域Ｑ２の下流側には、中間転写ドラム用トナー吸着保持部材ＣＬ３が配置されている。前記各中間転写ドラムＤＲ１〜ＤＲ３および２次転写ロールＲｔには、トナー像転写用のバイアスが印加される。      
【００２６】
図２において、感光体（１次トナー像担持体）Ｐｙ，Ｐｍ，Ｐｃ，Ｐｋは、それぞれ帯電ロールＣＲｙ，ＣＲｍ，ＣＲｃ，ＣＲｋにより一様に帯電された後、前記潜像形成装置ＲＯＳの出力するレーザビームＬｙ，Ｌｍ，Ｌｃ，Ｌｋによりその表面に静電潜像が形成される。フルカラー画像を形成する場合は、Ｙ，Ｍ，Ｃ，Ｋの４色の画像に対応した静電潜像が各感光体Ｐｙ，Ｐｍ，Ｐｃ，Ｐｋに形成され、モノクロ画像の場合はＫ（黒）の画像に対応した静電潜像のみが感光体Ｐｋに形成される。
前記感光体Ｐｙ，Ｐｍ，Ｐｃ，Ｐｋ表面の静電潜像は、現像器Ｇｙ，Ｇｍ，Ｇｃ，ＧｋによりＹ（イエロー）、Ｍ（マゼンタ）、Ｃ（シアン）、Ｋ（黒）の色のトナー像に現像される。各現像器Ｇｙ，Ｇｍ，Ｇｃ，Ｇｋには前記トナーディスペンサ装置Ｕａに装着された各色のトナーカートリッジＫＴｙ，ＫＴｍ，ＫＴｃ，ＫＴｋ，からトナーが補給される。
【００２７】
Ｙ色、Ｍ色の感光体Ｐｙ，Ｐｍ上に形成されたＹ（イエロー）、Ｍ（マゼンタ）のトナー像は１次転写領域Ｑｙ，Ｑｍにおいて第１中間転写ドラムＤＲ１に重ねて１次転写されてから、中間転写領域Ｑ３１において第３中間転写ドラムＤＲ３に転写される。Ｃ色、Ｋ色の感光体Ｐｃ，Ｐｋ上に形成されたＣ（シアン）、Ｋ（黒）のトナー像は１次転写領域Ｑｃ，Ｑｋで前記第２中間転写ドラムＤＲ２に重ねて１次転写されてから中間転写領域Ｑ３２において第３中間転写ドラムＤＲ３のＹ（イエロー）、Ｍ（マゼンタ）のトナー上に重ねて転写される。
【００２８】
給紙トレイＴＲ１に収容されたシートＳは、所定のタイミングでピックアップロールＲｐにより取り出され、さばきロールＲｓで１枚づつ分離されて、シート搬送路ＳＨ１の搬送ローラＲａによりレジロールＲｒに搬送される。また、手差しトレイＴＲ０のシートＳは、手差し給紙ロールＲｐ０により給紙されてレジロールＲｒに搬送される。
前記レジロールＲｒに搬送された記録シートＳは、多重トナー像または単色トナー像が２次転写領域Ｑ２に移動するのにタイミングを合わせて、２次転写領域Ｑ２に搬送され、２次転写ロールＲｔによりトナー像が２次転写される。
【００２９】
１次転写後の各感光体Ｐｙ，Ｐｍ，Ｐｃ，Ｐｋ表面に残留したトナーは、前記感光体用トナー吸着保持部材ＣＬｋ，ＣＬｙ，ＣＬｍ，ＣＬｃによって一時的に吸着保持され、感光体Ｐｙ，Ｐｍ，Ｐｃ，Ｐｋ表面がクリーニングされる。同様に、中間転写または２次転写後の中間転写ドラムＤＲ１〜ＤＲ３表面に付着した残留トナーは、中間転写ドラム用トナー吸着保持部材ＣＬ１〜ＣＬ３により一時的に吸着保持され、クリーニングされる。
前記各トナー吸着保持部材ＣＬｋ，ＣＬｙ，ＣＬｍ，ＣＬｃ，ＣＬ１〜ＣＬ３により一時的に吸着保持されたトナーは、所定のタイミングで開始されるクリーニングモード時に、像担持体Ｐｙ，Ｐｍ，Ｐｃ，Ｐｋ，ＤＲ１〜ＤＲ３表面に吐出されて、２次転写ロールＲｔまで転写、搬送され、２次転写ロールクリーナＣＬｔにより回収される。２次転写ロールクリーナＣＬｔに回収されたトナーは、図示しないトナー排出路を搬送されてトナー回収ボックスＢｔに回収される。
なお、トナー吸着保持部材でトナーを一時的に吸着保持したり、吐出したりしてクリーニングを行う技術は従来公知（例えば、特開２００３−０２９５８８号公報等参照）であり、種々の構成を採用可能であるので、詳細な説明は省略する。
【００３０】
前記２次転写領域Ｑ２でトナー像が２次転写された記録シートＳは、定着装置Ｆに搬送される。前記記録シートＳは、定着装置Ｆの加熱ロールＦｈおよびＦｐが圧接する定着領域Ｑ５を通過する際にトナー像が加熱定着される。トナー像が加熱定着された記録シートＳは、シート排出ローラＲｈに搬送され、排出トレイＴＲｈに排出される。
両面印刷を行う場合、シート排出ローラＲｈによりスイッチバックされてシート反転路ＳＨ２に搬送され、表裏が反転した状態でレジロールＲｒに再送される。
【００３１】
（画像形成装置の外装カバーおよびフレームの説明）
図３は実施例１のプリンタの各外装カバーを取り外した状態の斜視説明図である。
図１〜図３において、プリンタＵは、ユーザが入力操作するＵＩ（ユーザインタフェース）や手差しトレイＴＲ０、定着装置Ｆ等を支持するフロントユニットＵ１と、左右一対のサイドカバー（外装カバー）Ｕ２，Ｕ３と、を有する。前記サイドカバーＵ２，Ｕ３の下端部には、下方に突出する係合突部（カバー被支持部）Ｕ２ａ、Ｕ３ａが複数形成されている。前記サイドカバーＵ２，Ｕ３の内側面には被ネジ止め部Ｕ３ｂ（右側サイドカバーＵ２の被ネジ止め部は図示省略）が形成されている。前記サイドカバーＵ２，Ｕ３の上端部には、トナーカートリッジＫＴｙ，ＫＴｍ，ＫＴｃ，ＫＴｋが収容されるカートリッジ収容部Ｕ４ａが一体的に形成されたトップカバー（外装カバー）Ｕ４が支持されている。前記サイドカバーＵ２，Ｕ３の後端部には、ファンユニットＵ５ａが装着されるリアカバー（ケーシング用カバー）Ｕ５が支持されている。前記トップカバーＵ４の上面には、排出トレイＴＲｈの下流側部分ＴＲｈ１を構成するカートリッジ保護カバーＵ６が着脱可能に装着されている。
【００３２】
前記各カバーＵ２〜Ｕ５の内部には、プリンタＵの上部フレームＦ１が配置されており、前記上部フレームＦ１は、前記給紙トレイＴＲ１を着脱可能に支持する下部フレームＦ２に支持されている。前記上部フレームＦ１は、略直角三角形状の左右一対のフレーム側壁Ｆ１ａ，Ｆ１ｂと、フレーム後端壁Ｆ１ｃと、を有している。前記フレーム側壁Ｆ１ａ，Ｆ１ｂの前端部は、前記フロントユニットＵ１を支持する。また、フレーム側壁Ｆ１ａ，Ｆ１ｂの上端部には、排出トレイ支持部Ｆ１ｄ，Ｆ１ｅが形成されている。前記排出トレイ支持部Ｆ１ｄ，Ｆ１ｅには、排出トレイＴＲｈの上流側を構成する排出トレイ部材ＴＲＵが支持される。前記フレーム後端壁Ｆ１ｃには、ＲＯＳ支持口Ｆ１ｆが形成されている。前記潜像形成装置ＲＯＳは前記ＲＯＳ支持口Ｆ１ｆに支持される。
前記上部フレームＦ１の内側には、４つの現像器Ｇｙ〜Ｇｋをユニット化した現像ユニットＧＵと、４つの感光体Ｐｙ〜Ｐｋ、帯電ロールＣＲｙ〜ＣＲｋ、中間転写装置Ｕｔおよびトナー回収ボックスＢｔ等をユニット化した像担持体ユニットＰＵと、が着脱可能に支持される。したがって、潜像形成装置ＲＯＳ、現像器Ｇｙ〜Ｇｋ、感光体Ｐｙ〜Ｐｋからなるトナー像形成装置ＵＹ，ＵＭ，ＵＣ，ＵＫと中間転写装置Ｕｔは上部フレームＦ１に支持される。すなわち、実施例１のプリンタＵでは、画像形成部材（ＲＯＳ＋ＵＹ〜ＵＫ＋Ｕｔ）は上部フレームＦ１に支持される。
【００３３】
前記ＲＯＳ支持口Ｆ１ｆの右側後端部には、プリンタＵの画像形成動作を制御する制御基板が収容された基板ボックスＫ１が支持される。図３において、前記基板収容ボックスＫ１の上端部には、右側サイドカバーＵ２の内側面に形成された被ネジ止め部（図示せず）をネジ止めするためのネジ止め部（カバー支持部）Ｋ１ａが形成されている。
前記ＲＯＳ支持口Ｆ１ｆの後側左部には角柱Ｋ２が支持されており、支柱Ｋ２には左側サイドカバーＵ３のネジ止め部Ｕ３ｂをネジ止めするためのネジ止め部（カバー支持部）Ｋ２ａが形成されている。
前記下部フレームＦ２には、前記サイドカバーＵ２，Ｕ３の係合突起（係合部）Ｕ２ａ、Ｕ３ａに対応して、図示しない複数の係合スリット（カバー支持部）が形成されおり、前記サイドカバーＵ２，Ｕ３の係合突起Ｕ２ａ、Ｕ３ａが係合スリットに係合して、サイドカバーＵ２，Ｕ３の下端面が下部フレームＦ２の上面により支持される。
【００３４】
（ファンユニットおよびファンユニット装着部の説明）
図４は、画像形成装置のリアカバーに設けたファンユニット装着部および前記ファンユニット装着部に装着されるファンユニットの説明図であり、図４Ａリアカバーに設けたファンユニット装着部の斜視図、図４Ｂは前記図４Ａリアカバーに設けたファンユニット装着部に装着されるファンユニットの斜視図である。
図５は画像形成装置のリアカバーに設けたファンユニット装着部および前記ファンユニット装着部に装着されるファンユニットの説明図であり、図５Ａはファンユニット装着部にファンユニットを装着した状態の説明図、図５Ｂはファンユニットの断面図である。
図４Ａにおいて、前記リアカバーＵ５は、外壁形成用パネル１を有する。前記外壁形成用パネル１には、リアカバーＵ５を位置決めするための複数の位置決め部材１ａ，１ｂ，１ｃが形成されている。前記位置決め部材１ｂ、１ｃは、下部フレームＦ２に支持された図示しないコントロールボックス（前記基板収容ボックスＫ１とは異なる基板収容部材）に支持される。
【００３５】
前記外壁形成用パネル１には、内側に突出するファンユニット装着部２が前記外壁形成パネル１に一体成形されており、前記ファンユニット装着部２に対応した位置に排気口１ｄが形成されている。なお、図４において、実施例１の排気口１ｄにはメッシュが形成されている。
前記ファンユニット装着部２は、円筒壁（筒状壁）２ａと、前記円筒壁２ａの円周方向に１８０°離れた位置にそれぞれ設けた一対のユニット取付部２ｂ，２ｂを有する。前記ユニット取付部２ｂ，２ｂは、円筒壁２ａの外側面に母線に沿って設けた柱状部であり、ユニット取付部２ｂ，２ｂの内端面には取付用ネジ孔２ｂ１，２ｂ１が形成されている。
前記円筒壁２ａの円周方向には、前記ユニット取付部２ｂ，２ｂから９０°離れた位置に、一対のユニット位置決め部としての凹部２ｃ，２ｄが形成されている。円筒壁２ａの右上部に配置されたユニット位置決め部としての凹部２ｄの底部には、給電線挿通溝２ｄ１が形成されている。
【００３６】
図４Ｂにおいて、前記図４Ａのファンユニット装着部２に装着されるファンユニットＵ５ａの中央部には、支柱３が配置されている。前記支柱３は、円板状部分３ａを有する。前記円板状部分３ａの円周方向に１８０°離れた位置には、前記ユニット取付け部２ｂに対応して形成された放射状に延びる一対の被取付部（ファン取付け部）３ｂ，３ｂが設けられている。前記被取付部３ｂ，３ｂから前記円周方向に９０°離れた位置には、凹部２ｃ，２ｄに対応して形成された放射状に延びる一対の被位置決め部３ｃ，３ｃが設けられている。前記円板状部分３ａには、後方(−Ｘ方向)に突出する円柱状のモータ支持部３ｄ（図５Ｂ参照）が形成されている。
図５において、前記一対の被取付部３ｂ，３ｂの先端部には、ネジ貫通孔(図示せず)が形成されており、ネジ貫通孔およびネジ孔２ｂ１，２ｂ１を貫通するファン固定用ネジ６，６によりファンユニットＵ５ａがリアカバーＵ５に固定支持される。
【００３７】
図５Ｂにおいて、前記支柱３のモータ支持部３ｄには、モータ４が支持されている。前記モータ４は、モータ支持部３ｄに固定支持されたステータとしてのコイル４ａと、前記コイル４ａの周囲を囲むように配置されたロータ４ｂとを有する。前記ロータ４ｂは、複数の永久磁石４ｂ１と、前記永久磁石４ｂ１を支持する円筒状のファン軸部４ｂ２とを有する。前記ロータ４ｂはベアリングＢｒによりモータ支持部３ｄに対して回転可能に支持されている。前記ロータ４ｂのファン軸部４ｂ２には、複数の羽根５ａを有するファン５が一体的に形成されている。なお、羽根５ａの外径は前記円筒壁２ａの内径に対応して形成されている。
前記モータ４のコイル４ａには、モータ駆動用の電力を供給する給電線７が接続されている。前記給電線７は被位置決め部３ｃに沿って延び、凹部２ｄの給電線挿通溝２ｄ１で挟持されることによりゆるみ止めされている。前記給電線７の先端には、接続端子(コネクタ)７ａが設けられている。
【００３８】
（実施例１の作用）
前記構成を備えた実施例１のプリンタＵでは、モータ４が駆動するとロータ４ｂとファン５とが一体的に回転して、前記プリンタＵの電源の熱および定着装置Ｆで発生する熱等を前記プリンタＵの外へ排出することができる。このとき、前記排気口１ｄを有する外壁形成用パネル１と、前記ファンユニットＵ５ａを収容する円筒壁２ａと、は一体成形されているので、隙間が無く、排気漏れが少ない。したがって、排気効率が高いファンユニットＵ５ａを提供することができる。
実施例１のリアカバーＵ５では、外壁形成用パネル１とファン収容用の前記円筒壁２とが一体形成されるので製作が容易であり、部品数の増加を抑えることができる。また、前記ファンユニットＵ５ａのファン５は、前記円筒壁２内に収容されるので、前記ファンユニットＵ５ａには、従来技術のようにケーシングを設ける必要がないので、ファンユニットＵ５ａの構成を簡素化し、小型化および軽量化することができる。
さらに、前記ファン５の送風方向は、排気方向と同じ方向であるので、排気抵抗が小さくエネルギ効率（排気効率）が高くなる。また、特許文献１記載の従来技術のようにファンとダクトが一体的に回転しないので、回転部材（ロータおよびファン）が軽量となり、回転出力の小さなモータを使用できる。このため、騒音を少なくし且つ排気効率を高めることができる。
【００３９】
（実施例２）
図６は実施例２の画像形成装置のリアカバーに設けたファンユニット装着部および前記ファンユニット装着部に装着されるファンユニットの説明図であり、図６Ａリアカバーに設けたファンユニット装着部の斜視図、図６Ｂは前記図６Ａリアカバーに設けたファンユニット装着部に装着されるファンユニットの斜視図、図６Ｃは実施例２の被位置決め部の断面図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図６Ａにおいて、前記実施例１のユニット位置決め部としての凹部２ｄ（図４Ａ参照）には、給電線挿通溝２ｄ１が形成されていたが、実施例２の凹部２ｄ′は、凹部２ｃと同様に形成されている。
図６Ｂ、図６Ｃにおいて、実施例２のファンユニットＵ５ａの一方の被位置決め部３ｃ′には、給電線７が取付けるための給電線支持溝３ｃ１′が形成されている。前記給電線支持溝３ｃ１′の中央部には、給電線脱落防止用の給電線保持爪（給電線保持部）３ｃ２′が形成されている。
【００４０】
（実施例２の作用）
前記構成を備えた実施例２の画像形成装置では、ファンユニット装着部２′に給電線挿通溝２ｄ１を形成する必要が無いので、リアカバーＵ５の作製が容易になる。
その他、実施例２のファンユニット装着部２およびファンユニットＵ５ａは、前記実施例１のファンユニット装着部２およびファンユニットＵ５ａと同様の作用効果を奏する。
【００４１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例（Ｈ01）〜（Ｈ06）を下記に例示する。
（Ｈ01）前記各実施例において、本発明は、プリンタに限定されず、ＦＡＸ、複合機等の画像形成装置に適用可能である。また、カラーの画像形成装置に限定されず、モノクロの画像形成装置にも適用可能である。
（Ｈ02）前記各実施例において、画像形成装置のケーシング用カバーおよびファンユニットに限定されず、パーソナルコンピュータ等を含む種々の電子機器のケーシング用カバーおよびファンユニットに適用可能である。
【００４２】
（Ｈ03）前記各実施例において、本発明は、帯電工程でオゾンが発生するチャージコロトロンを備えた画像形成装置にも適用可能である。
（Ｈ04）前記各実施例において、前記各実施例に例示したモータおよびファンの構造に限定されず、モータのロータとファンの軸部とを別々に構成したモータおよびファン等、設計に応じて適宜変更可能である。
（Ｈ05）前記各実施例において、円筒壁に限定されず、多角形状の筒壁により構成することも可能である。
（Ｈ06）前記各実施例において、被位置決め部３ｃ，３ｃ′およびユニット位置決め部としての凹部２ｃ，２ｄ，２ｄ′を省略して、被取付部３ｂに給電線支持溝３ｃ１′を形成したり、前記ユニット取付部２ｂに給電線挿通溝２ｄ１を設けることも可能である。
【図面の簡単な説明】
【００４３】
【図１】図１は本発明の実施例１の画像形成装置の斜視説明図である。
【図２】図２は実施例１の画像形成装置の全体説明図である。
【図３】図３は実施例１の画像形成装置の各外装カバーを取り外した状態の斜視説明図である。
【図４】図４は、画像形成装置のリアカバーに設けたファンユニット装着部および前記ファンユニット装着部に装着されるファンユニットの説明図であり、図４Ａリアカバーに設けたファンユニット装着部の斜視図、図４Ｂは前記図４Ａリアカバーに設けたファンユニット装着部に装着されるファンユニットの斜視図である。
【図５】図５は画像形成装置のリアカバーに設けたファンユニット装着部および前記ファンユニット装着部に装着されるファンユニットの説明図であり、図５Ａはファンユニット装着部にファンユニットを装着した状態の説明図、図５Ｂはファンユニットの断面図である。
【図６】図６は実施例２の画像形成装置のリアカバーに設けたファンユニット装着部および前記ファンユニット装着部に装着されるファンユニットの説明図であり、図６Ａリアカバーに設けたファンユニット装着部の斜視図、図６Ｂは前記図６Ａリアカバーに設けたファンユニット装着部に装着されるファンユニットの斜視図、図６Ｃは実施例２の被位置決め部の断面図である。
【図７】図７は、従来技術のファンユニットの説明図である。
【符号の説明】
【００４４】
１…外壁形成用パネル、
１ｄ…排気口、
２…ファンユニット装着部、
２ａ…筒状壁、
２ｂ…ユニット取付部、
２ｂ１…ネジ孔、
２ｃ…ユニット位置決め部、
３…支柱、
３ｂ…ファン取り付け部、
４…モータ
４ａ…ステータ
４ｂ…ロータ、
５…ファン、
６…固定用ネジ、
Ｕ５…ケーシング用カバー、
Ｕ５ａ…ファンユニット。
【図１】
2007005543.tif 000003
【図２】
2007005543.tif 000004
【図３】
2007005543.tif 000005
【図４】
2007005543.tif 000006
【図５】
2007005543.tif 000007
【図６】
2007005543.tif 000008
【図７】
2007005543.tif 000009